(57)【特許請求の範囲】
【請求項１】
照射される放射線のエネルギ分布を、任意形状に調整するための放射線のエネルギ分布調整機構において、
放射線エネルギ吸収体で作成された、患部の最大深さの断面形状を補正するための複数のプレートボーラスからなるプレートボーラス群と、
各プレートボーラスを、通過した放射線の必要な深さ方向到達線量に応じて、それぞれ放射線照射開口に挿入するためのプレートボーラススライド手段と、
必要な平面的線量分布に応じて、不要な照射領域に対する放射線を遮蔽するためのコリメータと、
を備えたことを特徴とする放射線のエネルギ分布調整機構。
【請求項２】
前記プレートボーラスが、一方向にスライド可能とされていること特徴とする請求項１に記載の放射線のエネルギ分布調整機構。
【請求項３】
前記プレートボーラスが、２方向にスライド可能とされていること特徴とする請求項１に記載の放射線のエネルギ分布調整機構。
【請求項４】
前記プレートボーラス群が２つ設けられ、互いに直交する方向にスライド可能とされていること特徴とする請求項１に記載の放射線のエネルギ分布調整機構。
【請求項５】
前記コリメータの放射線照射開口が、単純な幾何形状とされている請求項１に記載の放射線のエネルギ分布調整機構。
【請求項６】
任意形状の放射線を照射するための放射線照射装置において、
請求項１乃至５のいずれかに記載の放射線のエネルギ分布調整機構と、
該エネルギ分布調整機構中のプレートボーラスを、通過した放射線の必要な深さ方向到達線量に応じて自動的に出入するためのプレートボーラス駆動機構と、
を備えたことを特徴とする放射線照射装置。
【発明の詳細な説明】
【０００１】
【発明の属する技術分野】
本発明は、放射線のエネルギ分布調整機構、並びに、これを用いた放射線照射装置に係り、特に、臨床用陽子線治療システムに用いるのに好適な、例えば患者の外部から患部に向けて照射される放射線のエネルギ分布を、任意形状に調整するための放射線のエネルギ分布調整機構、並びに、これを用いた放射線照射装置に関する。
【０００２】
【従来の技術】
粒子加速器により真空中で荷電粒子を高速、高エネルギに加速し、これによって発生するＸ線、電子線、中性子線、陽子線、π中間子線、重粒子線等、又はコバルト遠隔治療装置からのγ線等を、患者体外から経皮的に病巣に照射する外部放射線治療は、固形癌の治療において、外科手術と共に重要な治療法となっている。特に、患部周辺の正常組織へのダメージを少なくできることから、患者のＱＯＬ（Quality  Of  Life）が重視される今後の医療現場において、ますます需要が高まると考えられる。
【０００３】
この外部照射による放射線治療では、周辺正常組織又は重要臓器を避け、患部にできるだけ正確に患部形状と一致する照射線量分布を与えることが重要である。陽子線治療は、図１に示すように、物質に入射した陽子線が、停止する直前にブラッグピークＰで最大の線量を与えるという性質を利用して、癌組織のみを該ブラッグピークＰで被うことにより、この理想を実現しようとするものである。
【０００４】
放射線治療の作業に際しては、図２に示す如く、まずステップ１００で、患部のＸ線ＣＴ画像を撮影する。その撮影画像を基に、ステップ１１０で、患者の体輪郭、患部領域、周辺重要臓器を考慮して治療計画を立てる。この治療計画で決定された、照射門数と方向、放射線強度に基づいて、ステップ１２０で、照射する放射線を微調整するための固定補助具の選定、加工が行われる。次いで、ステップ１３０で、患者の位置決め１３２を行った後、放射線照射１３４による照射治療が行われる。
【０００５】
図３に、放射線治療システムの構成を示す。この放射線治療システムでは、加速器等の放射線発生装置１０で作られた放射線が、放射線輸送装置１２を通って、患者８に放射線を照射するためのガントリノズル１４に導かれる。ガントリノズル１４では、放射線を、放射線観測・調整機構１６で一様なエネルギ分布に整えた後、放射線エネルギ形状形成機構１８において、患部に照射したい任意のエネルギ分布に調整し、これを患者８の外部から患部に向けて照射する。患者体内における線量分布は、放射線のエネルギ分布によって決まるため、患部形状を考慮して予め計画されている。
【０００６】
即ち、加速器から得られる放射線、例えば陽子線は、細いビーム状であり、そのエネルギ（ブラッグピークＰの深さ）も一定である。一方、癌組織は、様々な大きさと複雑な形状を持ち、その体内における深さも一定ではなく、又、陽子線が通過しなければならない組織の密度も一様ではない。従って、陽子線治療を行うためには、陽子線ビームを、（１）癌全体が一度に照射できるくらいの幅広いビームに拡大し、（２）癌の深さに応じて、そのエネルギを調整し、（３）奥行きのある癌組織全体が一様に照射できるよう、癌の厚みに応じてエネルギ分布を持たせ、更に、（４）癌の輪郭や陽子線が通過する組織の不均一さに応じた補正を加える必要がある。
【０００７】
そこで、従来の外部放射線治療においては、患者体内における線量分布を補償するために、前記放射線エネルギ形状形成機構１８では、照射部位の皮膚面が平坦で無い場合や、照射すべきターゲットが皮膚面と傾きを持っている場合に、線量分布の歪みを補償するための補償フィルタのようなエネルギ分布修正器具が用いられてきた。
【０００８】
この補償フィルタとしては、例えば従来の放射線治療で用いられている、通過したビームの空間的等線量曲線が一定の傾きを持つような濾過板であるくさびフィルタや、皮膚面に置き、照射表面の凹凸を平坦にするために使用されるボーラスがある。又、最近の重粒子線治療では、治療する患者毎に患部形状を複数の照射方向から再現するための患者ボーラスを作成する治療法も試みられている。
【０００９】
更に、照射する放射線を最終的に調整する機構では、前記エネルギ分布修正器具と、不必要な放射線が照射される領域を遮蔽して照射野を整形する照射野整形器具を同時に用いるのが通常である。
【００１０】
高エネルギ放射線用としては、不必要なビーム部分を遮蔽することにより、不整形な矩形の照射野を作成するブロックコリメータ、図４に示す如く、左右からくし状に配置された、幅数ｍｍ〜１ｃｍ程度の棒状のコリメータをそれぞれ動かすことで、照射すべきターゲットの形に合わせた照射野に設定できるマルチリーフコリメータ、予め、患者の患部形状を照射方向に射影し、放射線が通過しない板を、その形状にくりぬくことにより、照射野を患部形状に限定する患者コリメータ等がある。前記マルチリーフコリメータは、最近の高エネルギ放射線治療装置に標準装備されつつある。
【００１１】
具体的には、例えば陽子線治療では、図５に示すようにして、照射対象の形状に合わせたエネルギ分布を形成している。即ち、照射部であるガントリノズル１４まで送られてきた、細い陽子ビーム２０に、例えば厚さ数ｍｍの鉛でできた散乱体２２により、横方向に広がりを持たせて、幅広いビーム２４に拡大する。該散乱体２２を頂点とする円錐状に広がって伝搬する拡大ビーム２４から、後述するコリメータを用いて、中心軸付近の、エネルギが比較的均一な部分を切り出すと、下方の治療台（図示せず）上で、治療に必要な直径十数ｃｍの照射野が得られる。
【００１２】
前記拡大ビーム２４は、治療対象（例えば患者８の体内の腫瘍８Ｃ）の深さに応じて、陽子線の最大到達深さを調整するためのファインディグレーダ２６に入射される。該ファインディグレーダ２６は、例えば２個のくさび型をした対向するアクリルブロック２６ａ、２６ｂから構成され、該ブロック２６ａ、２６ｂの重なり方を調節することによって、陽子線が通過する部分の厚みを連続的に変化させることができる。陽子線は、通過した物質の厚みに応じてエネルギを失い、到達できる深さが変わるので、このファインディグレーダ２６の調節により、図１に示したブラッグピークＰを、治療が必要な深さに合わせることができる。
【００１３】
該ファインディグレーダ２６を透過した陽子線は、腫瘍８Ｃの厚みに対応して陽子線のエネルギ深さに分布ΔＰを持たせるためのリッジフィルタ２８に入射される。該リッジフィルタ２８は、例えば階段状に厚みの変化する三角柱状の金属棒を簾状に並べたものであり、厚みの異なる部分を通過した陽子線は、異なる深さにブラッグピークＰを作るので、階段の幅と高さの調節により、それらを適当に重ね合わせて、ピークの幅ΔＰを拡大することができる。
【００１４】
前記リッジフィルタ２８を通過した陽子線は、陽子線の平面形状を粗く整形するためのブロックコリメータ３０に入射される。後述する最終コリメータに加えて、ここで、ブロックコリメータ３０による整形を行っているのは、患者８の近くでブロックコリメータによる２次放射線が発生しないようにするためである。
【００１５】
前記ブロックコリメータ３０を通過した陽子線は、例えば樹脂製の不整形フィルタであるボーラス３２に入力され、腫瘍８Ｃの最大深さの断面形状と組織の不均一性に関する補正が行われる。このボーラス３２の形状は、腫瘍８Ｃの輪郭線と、例えばＸ線ＣＴのデータから求められる周辺組織の電子密度とに基づいて、算出される。
【００１６】
該ボーラス３２を通過した陽子線は、例えば真鍮等の最終コリメータ３４に入射され、腫瘍８Ｃの平面形状の輪郭に合わせた最終調整が行われた後、治療用陽子線３６として、患者８に照射される。
【００１７】
以上のようなエネルギ分布調整機構を用いた従来の放射線治療の概略を図６及び図７に示す。図６は、患者の頭部８Ｈに対してくさびフィルタ３３を用いて、線量分布Ｄを形成したＸ線照射の例である。図７は、患者の肝臓８Ｌに対する陽子線直交二門照射の例である。この例では、患者の患部形状に応じた患者ボーラス３２を加工して使用し、患部形状に集中された線量分布Ｄを得ている。これらの２つの例において、エネルギ分布調整機構は、照射方向に対して固定されている。
【００１８】
又、従来の治療計画は、前述のエネルギ分布修正器具の組合せを、経験則に基づき試行錯誤的に行っていた。これは、重粒子線治療における治療計画についても同様であり、更なる治療効果と治療速度の向上のため、照射方法の改善が望まれていた。
【００１９】
【発明が解決しようとする課題】
即ち、従来の放射線治療システムの放射線エネルギ分布調整機構では、治療効率という点で、以下のような問題点を有していた。
【００２０】
（１）照射パターンが、比較的単純な修正具の組合せによってのみ構成されているため、複雑な患部形状や、重要臓器を避ける照射に対して、機構的制限が大きい。特に、陽子線や重粒子線のような、透過性の高い線質を用いた場合は、マルチリーフコリメータであっても、小さな腫瘍には使えない。
【００２１】
（２）線量分布修正器具と照射野整形器具は、共に放射線照射時には固定されており、異なった照射パターンを与えたい時には、照射毎に、その修正具を装備し直さなくてはならない。
【００２２】
（３）患者ボーラスのように治療毎に作成する修正具を用いる場合は、その修正具の作成時間とコストに問題がある。
【００２３】
（４）治療毎に修正具を作成する場合、一度使用した修正具は放射線廃棄物となるので、廃棄する場合の取扱いが困難である。
【００２４】
本発明は、前記従来の問題点を解決するべくなされたもので、修正具を取り替えることなく、患者体内の患部形状に合わせた３次元線量分布を実現できるようにすることを第１の課題とする。
【００２５】
本発明は、又、放射線治療を高精度化すると共に、実照射時間を短縮して、患者の負担を軽減することを第２の課題とする。
【００２６】
【課題を解決するための手段】
本発明は、照射される放射線のエネルギ分布を、任意形状に調整するための放射線のエネルギ分布調整機構において、放射線エネルギ吸収体で作成された、患部の最大深さの断面形状を補正するための複数のプレートボーラスからなるプレートボーラス群と、各プレートボーラスを、通過した放射線の必要な深さ方向到達線量に応じて、それぞれ放射線照射開口に挿入するためのプレートボーラススライド手段と、必要な平面的線量分布に応じて、不要な照射領域に対する放射線を遮蔽するためのコリメータとを備えることにより、前記第１の課題を解決したものである。
【００２７】
又、前記プレートボーラスを、一方向にスライド可能として、曲率が単一方向に変化する曲面を有する線量分布を実現可能としたものである。
【００２８】
あるいは、前記プレートボーラスを、２方向にスライド可能として、上に凸な曲面を有する線量分布を実現可能としたものである。
【００２９】
あるいは、前記プレートボーラス群を２つ設け、互いに直交する方向にスライド可能として、下に凸な曲面を有する線量分布を実現可能としたものである。
【００３１】
又、任意形状の放射線を照射するための放射線照射装置において、前記の放射線のエネルギ分布調整機構と、該エネルギ分布調整機構中のプレートボーラスを、必要な深さ方向線量分布に応じて自動的に出入するためのプレートボーラス駆動機構とを備えることにより、前記第２の課題を解決したものである。
【００３２】
【発明の実施の形態】
以下図面を参照して、本発明の実施形態を詳細に説明する。
【００３３】
本発明に係る放射線のエネルギ分布調整機構の第１実施形態は、図８に示す如く、図５に示した患者ボーラス３２に代わるスライドボーラス機構４０と、最終コリメータ３４に代わる、放射線照射開口が単純な幾何形状（ここでは三角形）とされた幾何形状コリメータ５０とを備えている。
【００３４】
なお、治療グレードの応じて、他にマルチリーフコリメータや患者コリメータ等を併用することもできる。
【００３５】
前記スライドボーラス機構４０は、放射線エネルギ吸収体で作られた、例えば同じ板厚の多数のプレートボーラス４４Ａ〜４４Ｊからなるプレートボーラス群４２と、各プレートボーラス４４Ａ〜４４Ｊの先端を、通過した放射線の必要な深さ方向到達線量に応じて、図９に示す如く放射線照射開口１５に挿入するためのプレートボーラススライド機構４６Ａ〜４６Ｊ（図９は４６Ａのみ図示）と、各プレートボーラス４４Ａ〜４４Ｊを自動的に出入するための、例えば図９に示した如く、ボールねじからなるプレートボーラス駆動機構４８Ａ〜４８Ｊ（図９は４８Ａのみ図示）と、前記プレートボーラス群とコリメータの組合せにより再現可能なエネルギ分布で、分割されたターゲットを照射するために、操作端末５２からの指示に応じて、前記各プレートボーラス４４Ａ〜４４Ｊを、図８に矢印Ａで示す如く必要量だけ一方向にスライドしたり、前記幾何形状コリメータ５０を他の開口形状を有する幾何形状コリメータに交換するためのプレートボーラス・コリメータ制御装置５４とを備えている。
【００３６】
前記プレートボーラス４４Ａ〜４４Ｊは、通過した放射線の深さ方向への到達線量が、例えば単調増減曲率曲面となるようにスライドされる。
【００３７】
前記スライドボーラス機構４０及び幾何形状コリメータ５０等を含むガントリノズル１４は、図８に矢印Ｂで示す如く、患者に対して相対回転可能（ガントリノズル及び／又は患者ベッドを回転）とされている。
【００３８】
前記スライドボーラス機構４０及び幾何形状コリメータ５０は、予め３次元患部形状を単調増減曲率曲面の一部分の組合せで全てが被覆できるように治療計画が行われる場合に、入射した放射線が、計画された単調増減曲率曲面上の線量分布を形成するような放射線エネルギ分布を持つように動作する。
【００３９】
もしくは、ある評価基準に基づいて最適化された照射パターンが用いられる。
【００４０】
ここで、評価基準とは、ターゲット内の線量や、その一様性、周辺正常組織への影響、ＤＶＨ（dose  volume  histogram）に基づく結果などが考えられる。なお、最適化によって得られた照射パターンの一つ一つは、直接ターゲット形状の一部と必ずしも一致している必要性はない。
【００４１】
具体的には、入射した放射線は、プレートボーラス群４２によって図１０に示す如くエネルギ分布を調整される。即ち、前記プレートボーラス群４２の全部分に、放射線が垂直方向から一様に入射した時、プレートボーラス群を通過した放射線は、各プレートボーラスによって、一様にエネルギを吸収されることで、患者体内入射後の放射線到達距離に差を生じる。ここで、照射した放射線の等エネルギ線又はエネルギピークのみに注目し、これをエネルギ分布として表わすものとすると、図８に示した如く、プレートボーラスのスライド量に応じた単調増減曲率曲面上のエネルギ分布Ｅが形成される。更に、不要な照射領域に対する放射線を、必要な開口形状（三角形の他、円形、楕円形、矩形等）の幾何形状コリメータ５０で切り取り、ガントリノズル１４を図８中の矢印Ｂで示す如く、Ｘ−Ｙ平面内で回転させることにより、計画された線量分布Ｄが最終的に患者体内で形成される。
【００４２】
計画によって求められる、１回の照射によって与えられる線量分布の形状は、直接ターゲット形状の一部分と一致してもよいし、複数照射の重ね合わせで結果的にターゲット形状と一致するようにしてもよい。後者の場合、１回の照射ごとに与えられる線量分布の形状は、必ずしもターゲット形状の一部とは一致しなくてよい。
【００４３】
ここでは、１回ごとの形状が一致する場合の治療例を説明する。
【００４４】
前記操作端末５２からは、図１１に示す如く、ターゲット形状データ及び手動分割又は自動分割アルゴリズムが、前記スライドプレート・コリメータ制御装置５４に入力される。
【００４５】
該スライドプレート・コリメータ制御装置５４は、前記操作端末５２から入力されるターゲット形状データを記憶するターゲット形状データ記憶メモリ５６と、スライドボーラス機構４０のプレートボーラス群４２によって実現可能なボーラスパターンを記憶するスライドボーラスパターンメモリ５８と、前記ターゲット形状データ記憶メモリ５６から入力されるターゲット形状データ、前記操作端末５２から入力される手動分割又は自動分割アルゴリズム、及び、前記スライドボーラスパターンメモリ５８から入力されるボーラスパターンに従って、ターゲットを３次元分割するターゲット３次元分割装置６０と、該ターゲット３次元分割装置６０の出力に基づいて、分割ターゲットの射影形状を計算する分割ターゲット射影形状計算装置６２と、該分割ターゲット射影形状計算装置６２の出力に基づいて、必要なコリメータパターンとなるように幾何形状コリメータ５０を切替えるための信号をコリメータ制御装置７０に出力するコリメータパターン出力装置６２と、前記ターゲット３次元分割装置５８の出力に基づいて、分割ターゲットの曲面を量子化する分割ターゲット曲面量子化装置６６と、該分割ターゲット曲面量子化装置６６の出力に応じて、必要なボーラスパターンが得られるように、前記プレートボーラス駆動機構４８Ａ〜４８Ｊを駆動するための信号をスライドボーラス制御装置７２に出力するスライドボーラスパターン出力装置６８とを含んで構成されている。
【００４６】
以下、図１２を参照して、前記実施形態を用いた放射線治療作業の手順を説明する。
【００４７】
治療計画での照射データ計算処理２００では、ステップ２１０でＸ線ＣＴ画像から復元された立体患部形状を読み込み、ステップ２２０で患部形状を３次元データとして復元する。次いで、ステップ２３０で、復元された３次元形状のうち、本発明による照射領域を決定する。次いでステップ２４０で、単調増減曲率曲面を再現するためのプレートボーラスの組合せパターン（どのプレートボーラスを、どれ位スライドさせるか）を計算する。次いでステップ２５０で、照射領域を限定するためのコリメータパターンを計算する。最後にステップ２６０で、ガントリ位置データを計算する。
【００４８】
次いで、実際の照射に移る前に、アライメント処理３００へ進み、ステップ３１０でガントリ位置を読み込むと共に、ステップ３２０で患者の位置を読み込み、ステップ３３０でガントリの初期位置を計算する。
【００４９】
そして、放射線照射処理４００では、計算されたデータを基に、ステップ４１０でガントリ位置を移動し、ステップ４２０でボーラスパターン及びコリメータパターンを設定し、ステップ４３０で照射する。このステップ４１０乃至４３０を、ステップ４４０で全門照射が終了したと判断されるまで照射方向毎に実施する。全門照射終了後、ステップ４５０で照射を停止する。
【００５０】
本実施形態においては、プレートボーラス駆動機構を設けて、プレートボーラスの出入を自動化しているので、従来、照射方向毎に作成され、照射方向が変わる毎に交換されていた修正具の人手による取り替えが不要であり、照射方向を迅速に変えることができるので、患者の負担が少ない治療が行える。なお、プレートボーラスのスライドを人手により行うことも可能である。
【００５１】
又、本実施形態においては、１自由度のプレートボーラススライド機構を用いて、矩形のプレートボーラスを一方向にスライドするようにしていたので、構成が簡略である。なお、図１３に示す第２実施形態のように、２方向（ここでは直交する２方向）にプレートボーラスを移動するためのプレートボーラス駆動機構４９Ａ〜４９Ｊ（ここで４９Ａのみ図示）を設けて、各プレートボーラスを２方向にスライド可能とすることも可能である。この２自由度のプレートボーラススライド機構を用いた場合には、図１４に示すように、曲率変化を持つ上に凸な曲面を有する線量分布を実現できる。
【００５２】
あるいは、図１５に示す第３実施形態のように、もう一つのプレートボーラス群４３を追加して、同じ高さのプレートボーラスをそれぞれ２枚とし、１＋２自由度のプレートボーラススライド機構を用いて、図１６に示す如く、各プレートボーラスによりＬ字状の開口が形成されるようして、曲率変化を持つ下に凸な曲面を有する線量分布を実現することも可能である。図１７に、この場合のエネルギ分布の平面形状を示す。
【００５３】
更には、第３実施形態における同じ高さの２枚のプレートボーラスを一体化したＬ字形状のプレートボーラスを設けて、これを２方向に移動自在としてもよい。
【００５４】
又、前記実施形態においては、各プレートボーラスの厚みを同じとしているので、計算が簡略である。なお、プレートボーラスの厚みを変えて、枚数を減らし、構成を簡略化することも可能である。
【００５５】
又、前記実施形態においては、スライドボーラス機構と幾何形状コリメータを組み合わせているので、構成が簡略である。なお、幾何形状以外の形状を有するコリメータを組み合わせたり、あるいは、図４に示したマルチリーフコリメータを組み合わせることも可能である。
【００５６】
前記実施形態においては、本発明が、陽子線治療システムに適用されていたが、本発明の適用対象はこれに限定されず、陽子線以外の放射線治療システム、あるいは一般の放射線照射システムにも、同様に適用できることは明らかである。
【００５７】
【発明の効果】
本発明によれば、単調増減の曲率曲面を有する放射線の照射パターンを、単純な形状の放射線エネルギ吸収材料同士の組合せで実現することができる。
【００５８】
従って、従来のくさびフィルタ等の固定機構を用いた治療計画に比べ、単調増減曲率曲面を用いて近似的に３次元形状を再現する線量分布が実現できるため、放射線治療の本来の利点である周辺正常組織の保護という点で治療効果が高い。
【００５９】
又、高エネルギ放射線治療において、患者毎のボーラスを作成する時間が不要となり、患者ボーラスが作成されるまでの待ち時間を減らして、治療全般を高速化することができる。従って、単位時間当たりの照射時間の変更許容範囲を大幅に増大させ、更なる高度な治療計画も可能となる。
【００６０】
又、患者毎に作成する修正具等の放射性廃棄物となる廃材が発生せず、廃棄処理の問題も生じない。
【００６１】
更に、照射パターンの単純化は、治療計画の計算機支援における最適化プロセスの高速化にも有効である。
【図面の簡単な説明】
【図１】陽子線治療の原理を示す線図
【図２】一般的な放射線治療作業手順を示す流れ図
【図３】同じく放射線治療システムの一例を示すブロック図
【図４】従来よりブロックコリメータとして用いられているマルチリーフコリメータの構成を示す平面図
【図５】陽子線治療におけるエネルギ分布調整と照射野形成の原理を示す斜視図
【図６】従来のエネルギ分布修正器具を用いた放射線治療の概略を示す、脳の断面図
【図７】同じく肝臓部分の断面図
【図８】本発明に係るエネルギ分布調整機構の第１実施形態の構成を示す、一部ブロッキ図を含む斜視図
【図９】第１実施形態で用いられている１自由度のプレートボーラススライド機構の構成を示す平面図
【図１０】第１実施形態によって実現されるエネルギ分布の例を示す斜視図
【図１１】第１実施形態で用いられている操作端末及びスライドプレート・コリメータ制御装置の構成を示すブロック図
【図１２】第１実施形態を用いた放射線治療作業の手順を示す流れ図
【図１３】本発明に係るエネルギ分布調整機構の第２実施形態で用いられる２自由度のプレートボーラススライド機構の構成を示す平面図
【図１４】第２実施形態によって実現されるエネルギ分布の例を示す斜視図
【図１５】本発明に係るエネルギ分布調整機構の第３実施形態で用いられる１＋２自由度のプレートボーラススライド機構の要部構成、及び、これによって実現されるエネルギ分布の例を示す斜視図
【図１６】第３実施形態のプレートボーラスの配置例を示す平面図
【図１７】同じくエネルギ分布の例を示す平面図
【符号の説明】
８…患者
８Ｃ…腫瘍
８Ｈ…頭部
８Ｌ…肝臓
１０…放射線発生装置
１２…放射線輸送装置
１４…ガントリノズル
１５…照射開口
１６…放射線観測・調整機構
１８…放射線エネルギ形状形成機構
４０…スライドボーラス機構
４２、４３…プレートボーラス群
４４Ａ〜４４Ｊ…プレートボーラス
４６Ａ〜４６Ｊ…プレートボーラススライド機構
４８Ａ〜４８Ｊ、４９Ａ〜４９Ｊ…プレートボーラス駆動機構
５０…幾何形状コリメータ
５２…操作端末
５４…スライドプレート・コリメータ制御装置
７０…コリメータ制御装置
７２…スライドボーラス制御装置
【図１】
0004159229.tif 000002
【図２】
0004159229.tif 000003
【図３】
0004159229.tif 000004
【図４】
0004159229.tif 000005
【図５】
0004159229.tif 000006
【図６】
0004159229.tif 000007
【図７】
0004159229.tif 000008
【図８】
0004159229.tif 000009
【図９】
0004159229.tif 000010
【図１０】
0004159229.tif 000011
【図１１】
0004159229.tif 000012
【図１２】
0004159229.tif 000013
【図１３】
0004159229.tif 000014
【図１４】
0004159229.tif 000015
【図１５】
0004159229.tif 000016
【図１６】
0004159229.tif 000017
【図１７】
0004159229.tif 000018